(57)【要約】      （修正有）【課題】色純度が向上され、出力される光量が増加された発光ダイオードパッケージと、その発光ダイオードパッケージを光源として有する表示装置を提供する。【解決手段】表示装置は表示パネル及びバックライトアセンブリーを含み、バックライトアセンブリーは出光部を通じて光を発生する発光ダイオードパッケージ５０及び光を表示パネル側にガイドする導光板を含む。発光ダイオードパッケージ５０はハウジング及び複数の発光ダイオードＬＤ１、ＬＤ２を含む。ハウジングは光反射特性を有し、ハウジングは底部ＢＰ、底部ＢＰと結合された側壁部、及び側壁部と結合されて底部ＢＰをカバーするカバー部ＣＰを含む。複数の発光ダイオードＬＤ１、ＬＤ２はハウジングの内部に収納されて光を発光する。また、出光部ＯＰは導光板と対向する側壁部に定められ、複数の発光ダイオードＬＤ１、ＬＤ２は出光部ＯＰから導光板に向かう方向に配列される。【選択図】図２Ｂ
2015109418.tif 000002
【特許請求の範囲】
【請求項１】
表示パネルと、
出光部を通じて光を出力する発光ダイオードパッケージ及び前記光を前記表示パネル側にガイドする導光板を含むバックライトアセンブリーと、
を含み、前記発光ダイオードパッケージは、光反射特性を有し、底部、前記底部と結合された側壁部、及び前記側壁部と結合されて前記底部をカバーするカバー部を含むハウジングと、
前記ハウジングの内部に収納されて前記光を発する複数の発光ダイオードと、
を含み、前記出光部は、前記導光板と対向する前記側壁部に定められ、前記複数の発光ダイオードは、前記出光部から前記導光板に向かう方向に配列されたことを特徴とする表示装置。
【請求項２】
前記ハウジングは、光反射物質を含むことを特徴とする請求項１に記載の表示装置。
【請求項３】
前記発光ダイオードパッケージは、前記ハウジングの内側面から前記ハウジングの内部に向かって突出した複数の光散乱部をさらに含むことを特徴とする請求項１に記載の表示装置。
【請求項４】
前記発光ダイオードパッケージは、前記底部上に配置されて前記複数の発光ダイオードと電気的に連結される複数のリードフレームと、
前記ハウジングの内部に配置されて前記複数の発光ダイオードの中の少なくとも１つをカバーする絶縁層と、
を含み、前記絶縁層は、絶縁物及び蛍光体を含むことを特徴とする請求項１に記載の表示装置。
【請求項５】
前記絶縁層は、複数に提供され、前記ハウジングの内部で前記複数の絶縁層は、前記複数の発光ダイオードが配列された方向に沿って配列されたことを特徴とする請求項４に記載の表示装置。
【請求項６】
前記複数の絶縁層は、前記複数の発光ダイオードの中のいずれか１つをカバーする第１絶縁層と、
前記複数の発光ダイオードの中の他の１つをカバーする第２絶縁層と、
を含み、前記第１及び第２絶縁層の中の少なくとも１つは、前記絶縁物及び前記蛍光体を含むことを特徴とする請求項５に記載の表示装置。
【請求項７】
前記蛍光体は、前記第１絶縁層の内部に提供される第１蛍光体と、
前記第２絶縁層の内部に提供される第２蛍光体と、
を含む請求項６に記載の表示装置。
【請求項８】
前記発光ダイオードパッケージは、前記第１絶縁層と前記第２絶縁層との間の界面に配置され、前記第１絶縁層及び前記第２絶縁層の中の少なくともいずれか１つの表面から突出した複数の光散乱部をさらに含むことを特徴とする請求項６に記載の表示装置。
【請求項９】
前記側壁部は、前記複数の発光ダイオードが配列された方向に沿って延在された第１側壁と、
前記第１側壁と対向する第２側壁と、
前記第１側壁を前記第２側壁に連結する第３側壁と、
を含み、前記出光部は、前記側壁部の中の前記第３側壁と対向する部分に定められることを特徴とする請求項１に記載の表示装置。
【請求項１０】
前記底部は、長方形の形状を有し、前記第１側壁及び前記第２側壁は、前記長方形の２つの長辺に一対一で対応して前記底部と結合され、前記第３側壁は、前記長方形の２つの短辺の中のいずれか１つに対応して前記底部と結合されたことを特徴とする請求項９に記載の表示装置。
【請求項１１】
前記第１側壁及び第２側壁の各々の高さは、前記第３側壁に対して近くなるほど低くなることを特徴とする請求項１０に記載の表示装置。
【請求項１２】
前記カバー部は、前記第３側壁側に向かって傾いていることを特徴とする請求項１１に記載の表示装置。
【請求項１３】
前記カバー部は、曲がった形状を有することを特徴とする請求項１０に記載の表示装置。
【請求項１４】
前記カバー部は、前記ハウジングの外部に向かって膨らんでいるアーチ形状を有することを特徴とする請求項１３に記載の表示装置。
【請求項１５】
前記カバー部は、前記ハウジングの内部に向かって凹んだアーチ形状を有することを特徴とする請求項１３に記載の表示装置。
【請求項１６】
平面上で前記第１側壁、第２側壁、及び第３側壁の中の少なくとも１つの内側面は、前記複数の発光ダイオードが有する側面に対して傾いていることを特徴とする請求項９に記載の表示装置。
【請求項１７】
前記第３側壁は、複数の内側面を有し、平面上で前記複数の内側面の各々は、前記複数の発光ダイオードが有する側面に対して傾き、前記複数の内側面の大きさは、互いに異なることを特徴とする請求項９に記載の表示装置。
【請求項１８】
平面上で前記第３側壁の内側面は、一方向と平行であり、平面上で前記複数の発光ダイオードが有する側面の各々は、前記第３側壁の前記内側面に対して傾いていることを特徴とする請求項９に記載の表示装置。
【請求項１９】
前記バックライトアセンブリーは、前記導光板の少なくとも一側に沿って延在され、前記発光ダイオードパッケージが実装される印刷回路基板をさらに含み、
前記出光部は、前記導光板の側面と対向することを特徴とする請求項１に記載の表示装置。
【請求項２０】
前記複数の発光ダイオードの中の少なくとも２つの発光ダイオードは、互いに異なる色相の光を発光し、前記複数の発光ダイオードから発光される光が混合された白色光が、前記出光部を通じて出力されることを特徴とする請求項１に記載の表示装置。
【請求項２１】
前記複数の発光ダイオードは、互いに同じ色相の光を発光することを特徴とする請求項１に記載の表示装置。
【発明の詳細な説明】
【技術分野】
【０００１】
本発明は発光ダイオードパッケージを光源として有する表示装置に関し、より詳細には色純度が向上され、出力される光量が増加された発光ダイオードパッケージを光源として有する表示装置に関する。
【背景技術】
【０００２】
バックライトアセンブリー及び前記バックライトアセンブリーから出力される光を受信して画像を表示する表示装置において、前記バックライトアセンブリーの光源として発光ダイオードパッケージが使用されている。発光ダイオードパッケージは冷陰極蛍光ランプよりも低電力で駆動が可能であり、高輝度の光を発生することができる。したがって、発光ダイオードパッケージはバックライトアセンブリーのみならず、一般の照明装置にも幅広く適用されている。
【先行技術文献】
【特許文献】
【０００３】
【特許文献１】米国特許第８，０８９，０９８号明細書
【特許文献２】米国特許第７，４９１，９７７号明細書
【発明の概要】
【発明が解決しようとする課題】
【０００４】
本発明の一の目的は色純度が向上され、出力される光量が増加された発光ダイオードパッケージを提供し、前記発光ダイオードパッケージを光源として有する表示装置を提供することにある。
【課題を解決するための手段】
【０００５】
上述した本発明の目的を達成するために、本発明による表示装置は、表示パネル及びバックライトアセンブリーを含み、前記バックライトアセンブリーは、出光部を通して光を発生する発光ダイオードパッケージ及び前記光を前記表示パネル側にガイドする導光板を含む。
前記発光ダイオードパッケージは、ハウジング及び複数の発光ダイオードを含む。前記ハウジングは、光反射特性を有し、前記ハウジングは、底部と、前記底部と結合された側壁部と、前記側壁部と結合されて前記底部をカバーするカバー部と、を含む。前記複数の発光ダイオードは、前記ハウジングの内部に収納されて前記光を発光する。
また、前記出光部は、前記導光板と対向する前記側壁部に定められ、前記複数の発光ダイオードは、前記出光部から前記導光板に向かう方向に配列される。
【発明の効果】
【０００６】
本発明によれば、発光ダイオードパッケージのハウジングの内部に収納された複数の発光ダイオードから発光されたカラー光の経路を、よりランダムにすることができる。したがって、前記カラー光の混合がより容易になって前記発光ダイオードパッケージから出力される出力光の色純度を向上させることができる。
また、本発明による前記発光ダイオードパッケージの前記ハウジングの構造によれば、前記複数の発光ダイオードから発光されて前記ハウジングの内部で反複される光の経路を最小化することができるので、前記発光ダイオードパッケージから出力される光の光量を増加させ得る。
また、本発明による前記発光ダイオードパッケージの前記ハウジングに定義された出光部の構造によれば、前記出光部の幅は前記ハウジングの長辺ではない短辺の長さに対応させることができる。したがって、前記ハウジングの内部に複数の発光ダイオードが配置されても、前記出光部の幅は前記ハウジングの内部に配置される前記複数の発光ダイオードの数に比例して増加されない。その結果、導光板の側面に沿って前記発光ダイオードパッケージが複数に配列される場合、前記複数の発光ダイオードパッケージの数を容易に増加させることができるので、前記導光板に入射される光量を十分に確保することができる。
【図面の簡単な説明】
【０００７】
【図１Ａ】本発明の一実施形態による表示装置の分解斜視図である。
【図１Ｂ】図１Ａに図示された発光ユニット及び導光板を拡大した図面である。
【図２Ａ】図１Ｂに図示された複数の発光ダイオードパッケージの中のいずれか１つの発光ダイオードパッケージの分解斜視図である。
【図２Ｂ】図２Ａに図示されたＩ−Ｉ’線に沿って切断された部分を示す断面図である。
【図２Ｃ】図２Ａに図示された発光ダイオードパッケージの平面図である。
【図３】本発明の他の実施形態による表示装置のバックライトアセンブリーを含むＬＥＤパッケージの断面図である。
【図４】本発明のその他の実施形態による表示装置のバックライトアセンブリーを含むＬＥＤパッケージの平面図である。
【図５】本発明のその他の実施形態による表示装置のバックライトアセンブリーを含むＬＥＤパッケージの平面図である。
【図６】本発明のその他の実施形態による表示装置のバックライトアセンブリーを含むＬＥＤパッケージの断面図である。
【図７】本発明のその他の実施形態による表示装置のバックライトアセンブリーを含むＬＥＤパッケージの断面図である。
【図８】本発明のその他の実施形態による表示装置のバックライトアセンブリーを含むＬＥＤパッケージの断面図である。
【図９】本発明のその他の実施形態による表示装置のバックライトアセンブリーを含むＬＥＤパッケージの断面図である。
【図１０】本発明のその他の実施形態による表示装置のバックライトアセンブリーを含むＬＥＤパッケージの平面図である。
【図１１】本発明のその他の実施形態による表示装置のバックライトアセンブリーを含むＬＥＤパッケージの平面図である。
【発明を実施するための形態】
【０００８】
以下、添付した図面を参照して本発明の実施形態を詳細に説明する。上記した本発明の目的、特徴、及び効果は、図面と関連する実施形態を通して容易に理解することができる。但し、本発明は、ここで説明される実施形態に限定されるものではなく、多様な形態に応用されて変形されることもあり得る。むしろ後述される本発明の実施形態は本発明によって開示された技術思想をより明確にし、さらに本発明が属する分野において通常の知識を有する当業者に本発明の技術的な思想を十分に伝えることができるように提供される。したがって、本発明の範囲は後述する実施形態によって限定されるものとして解釈されてはならない。一方、下記の実施形態において図面中の同一の参照番号は、同一の構成要素を示す。
また、本明細書において「第１」、「第２」等の用語は限定的な意味ではなく、１つの構成要素を他の構成要素と区別する目的として使用されている。また、膜、領域、構成要素等の部分が他の部分の「上に」又は「うえに」ある場合、他の部分の直ぐ上にある場合のみならず、その中間に他の膜、領域、構成要素等が介在されている場合も含む。
【０００９】
図１Ａは本発明の一実施形態による表示装置の分解斜視図であり、図１Ｂは図１Ａに図示された発光ユニット及び導光板を拡大した図面である。
図１Ａ及び図１Ｂを参照すると、表示装置６００は、バックライトアセンブリー５００及び表示パネル５２０を含む。前記バックライトアセンブリー５００は光を前記表示パネル５２０側に出力し、前記表示パネル５２０は前記光を受信して画像を表示する。
この実施形態において、前記表示パネル５２０は、液晶表示パネルでもよく、この場合、前記表示パネル５２０は、表示基板５２１と、対向基板５２２と、前記表示基板５２１と前記対向基板５２２との間に介在される液晶層（図示せず）と、を包含することができる。前記表示基板５２１は、複数の画素領域に配置される複数の画素電極（図示せず）を包含することができ、前記対向基板５２２は、前記複数の画素電極と対向する共通電極（図示せず）を包含することができる。
この実施形態において、前記表示パネル５２０は、液晶表示パネルや、本発明が前記表示パネル５２０の種類に限定されるものではない。例えば、他の実施形態において、前記表示パネル５２０は、電気泳動表示パネル及びエレクトロ・ウェッティング表示パネルのようなバックライトアセンブリーからの光を受信して画像を表示する他の種類のパネルでもよい。
また、本発明は前記表示パネル５２０の構造に限定されるものではない。例えば、他の実施形態では、前記対向基板５２２が、前記共通電極を包含せず、その代わりに、前記表示基板５２１が、前記複数の画素電極と離隔されて配置される前記共通電極を包含してもよい。
【００１０】
前記バックライトアセンブリー５００は、発光ユニット１００と、収納部材５８０と、反射板５７０と、導光板５５０と、モールドフレーム５３０と、複数のシート５４０と、カバー部材５１０と、を含む。
前記発光ユニット１００は、光を発生する。前記発光ユニット１００は、印刷回路基板３０及び複数の発光ダイオードパッケージ５０を含む。前記複数の発光ダイオードパッケージ５０は、前記印刷回路基板３０上に実装され、前記複数の発光ダイオードパッケージ５０の各々は、出光部ＯＰを通じて出力光ＥＴを前記導光板５５０側に出力する。
この実施形態において、前記印刷回路基板３０は、前記導光板５５０の一側に配置されて前記導光板５５０の側面ＳＳに沿って延在することができる。また、前記複数の発光ダイオードパッケージ５０の各々で前記出力光ＥＴが出力される前記出光部ＯＰは、前記側面ＳＳと対向し、前記複数の発光ダイオードパッケージ５０は、前記印刷回路基板３０上から前記側面ＳＳに沿って配列させることができる。したがって、前記出力光ＥＴは、前記側面ＳＳを通じて前記導光板５５０へ入射させることができる。
一方、この実施形態では、前記複数の発光ダイオードパッケージ５０は、前記側面ＳＳに沿って配列されるが、本発明は、前記複数の発光ダイオードパッケージ５０の位置及び個数に限定されるものではない。例えば、他の実施形態では、前記バックライトアセンブリー５００は、前記複数の発光ダイオードパッケージ５０のみでなく、前記導光板５５０の他側に沿って配列される他の複数の発光ダイオードパッケージをさらに包含してもよい。その他の実施形態では、１つの発光ダイオードパッケージが、前記導光板５５０の角部に配置されてもよく、この場合、前記１つの発光ダイオードパッケージの発光面は、前記導光板５５０の前記角部が面取りされた面と対向させることができる。
【００１１】
前記収納部材５８０は、前記発光ユニット１００、前記反射板５７０及び前記導光板５５０を収納し、前記導光板５５０は、前記発光ユニット１００から提供された前記出力光ＥＴを前記表示パネル５２０側にガイドする。
前記反射板５７０は、ポリエチレンテレフタレート（ＰＥＴ：polyethylene terephthalate）及びアルミニウムのような光を反射する物質を含んでおり、前記収納容器５８０の底部と前記導光板５５０との間に配置される。前記モールドフレーム５３０は、前記収納部材５８０の側壁に沿って延在して前記収納部材５８０と結合する。また、前記モールドフレーム５３０は、前記収納部材５８０に収納された前記導光板５５０のエッジを前記収納部材５８０の前記底部に固定し、前記モールドフレーム５３０の上には前記複数のシート５４０及び前記表示パネル５２０が順次的に配置される。
前記複数のシート５４０は、前記表示パネル５２０と前記導光板５５０との間に配置される。この実施形態では、前記複数のシート５４０は、光を拡散させる拡散シート５４３と、光を集光して前記表示パネル５２０の正面輝度を向上させるプリズムシート５４２と、前記表示パネル５２０の背面を保護する保護シート５４１と、を包含することができる。前記カバー部材５１０は、前記収納部材５８０と結合される。また、前記カバー部材５１０は、前記表示パネル５２０の枠をカバーして前記枠の内側に位置する前記表示パネル５２０の表示領域を外部に露出させることができる。
【００１２】
この実施形態では、前記複数の発光ダイオードパッケージ５０を除外すれば、本発明は前記バックライトアセンブリー５００が有する他の構成要素の構造に限定されるものではない。例えば、他の実施形態では、前記バックライトアセンブリー５００において、前記反射板５７０が省略される代わりに、前記収納部材５８０の前記底部に反射層がコーティングされてもよい。
【００１３】
以下、図２Ａ〜図２Ｃを参照して、前記複数の発光ダイオードパッケージ５０の、より詳細な構造を説明すれば、次の通りである。
図２Ａは、図１Ｂに図示された複数の発光ダイオードパッケージの中のいずれか１つの発光ダイオードパッケージの分解斜視図であり、図２Ｂは図２Ａに図示されたＩ−Ｉ’線に沿って切断された部分を示す断面図であり、図２Ｃは図２Ａに図示された発光ダイオードパッケージの平面図である。図１Ｂに図示された複数の発光ダイオードパッケージの中のいずれか１つの発光ダイオードパッケージ５０（以下、「ＬＥＤパッケージ」）の構造を例として説明すれば、次の通りである。
この実施形態では、前記ＬＥＤパッケージ５０は、ハウジングＭＤ、第１〜第３リードフレーム（ＬＦ１、ＬＦ２、ＬＦ３）、第１発光ダイオードＬＤ１（以下、「第１ＬＥＤ」）、第２発光ダイオードＬＤ２（以下、「第２ＬＥＤ」）、第１〜第４ワイヤ（Ｗ１〜Ｗ４）、第１絶縁層Ｌ１、第２絶縁層Ｌ２及び蛍光体ＦＳを含む。
前記ハウジングＭＤは、絶縁性を有する光反射物質を包含することができ、例えば、前記ハウジングＭＤは、ポリエチレン、ポリプロピレン及びポリカーボネートのような高分子物質を包含することができる。したがって、前記ハウジングＭＤは、その内部に収納された前記第１及び第２ＬＥＤ（ＬＤ１、ＬＤ２）から発光された光を反射する。
【００１４】
他の実施形態では、前記ハウジングＭＤは、絶縁性を有する物質を含み、前記ハウジングＭＤの内側面は、アルミニウム層のような反射層でコーティングされ、この場合、前記ハウジングＭＤは、その内部に収納された前記第１及び第２ＬＥＤ（ＬＤ１、ＬＤ２）から発光された光を反射することができる。
前記ハウジングＭＤは、底部ＢＰ、側壁部ＳＰ、及びカバー部ＣＰを含む。この実施形態では、前記底部ＢＰは、長方形の板形状を有することができ、この場合、前記底部ＢＰに、第１長辺Ｅ１、第２長辺Ｅ２、第１短辺Ｅ３、及び第２短辺Ｅ４を定義することができる。
前記側壁部ＳＰは、前記底部ＢＰと結合される。この実施形態では、前記側壁部ＳＰは、第１側壁ＳＷ１、第２側壁ＳＷ２、及び第３側壁ＳＷ３を包含することができ、前記第１及び第２側壁（ＳＷ１、ＳＷ２）は、前記第１及び第２長辺（Ｅ１、Ｅ２）の位置と一対一で対応して配置されて前記底部ＢＰと結合される。また、前記第３側壁ＳＷ３は、前記第１短辺Ｅ３の位置と一対一で対応して配置されて前記底部ＢＰと結合され、前記第３側壁ＳＷ３は、前記第１側壁ＳＷ１を前記第２側壁ＳＷ２に連結する。
【００１５】
一方、先に上述したように、前記ＬＥＤパッケージ５０から光が出力される部分を出光部ＯＰとして定義すれば、この実施形態では、前記出光部ＯＰは、前記側壁部ＳＰの一部分を除去して定義することができ、より詳細には、前記側壁部ＳＰで前記第３側壁ＳＷ３と対向する部分を開口して前記出光部ＯＰを定めることができる。したがって、前記第１及び第２ＬＥＤ（ＬＤ１、ＬＤ２）から発光された光は、前記出光部ＯＰを通じて前記ＬＥＤパッケージ５０の外部へ出力することができる。
前記第１〜第３リードフレーム（ＬＦ１、ＬＦ２、ＬＦ３）は、前記底部ＢＰ上に配置され、前記第１〜第３リードフレーム（ＬＦ１、ＬＦ２、ＬＦ３）の中の一部は、前記ハウジングＭＤの外部へ引き出される。より詳細には、この実施形態では、前記底部ＢＰ上に前記第１〜第３リードフレーム（ＬＦ１、ＬＦ２、ＬＦ３）が互いに離隔されて前記第１長辺Ｅ１と平行に配列され、前記第１リードフレームＬＦ１の一端部は、前記ハウジングＭＤの一側に引き出され、前記第３リードフレームＬＦ３の一端部は、前記ハウジングＭＤの他側で引き出される。前記ハウジングＭＤの外部へ引き出された前記第１リードフレームＬＦ１の前記端部及び前記第３リードフレームＬＦ３の前記端部は、印刷回路基板（図１Ｂ中、印刷回路基板３０）の電源端子（図示せず）と電気的に連結することができる。
前記第１及び第２ＬＥＤ（ＬＤ１、ＬＤ２）は、前記ハウジングＭＤの内部に収納されて互いに異なる色相の光を発生する。また、前記第１及び第２ＬＥＤ（ＬＤ１、ＬＤ２）は、前記ハウジングＭＤの内部で、前記出光部ＯＰから前記出光部ＯＰと対向する前記側壁部ＳＰの一部分に向かう方向に配列される。即ち、前記側壁部ＳＰの中の前記第３側壁ＳＷ３が、前記出光部ＯＰと対向するので、前記第１及び第２ＬＥＤ（ＬＤ１、ＬＤ２）は、前記出光部ＯＰから前記第３側壁ＳＷ３に向かう方向に順次的に配列される。
【００１６】
この実施形態では、前記出光部ＯＰから前記第３側壁ＳＷ３に向かう方向は、前記第１及び第２長辺（Ｅ１、Ｅ２）と平行であるので、前記出光部ＯＰの幅は、前記第１長辺Ｅ１よりは前記第１短辺Ｅ３の長さに対応する。したがって、前記ハウジングＭＤの内部に、前記第１及び第２発光ダイオード（ＬＤ１、ＬＤ２）以外にさらに多い複数の発光ダイオードが配置されても、前記出光部ＯＰの幅は前記複数の発光ダイオードの数に比例して増加されない。その結果、導光板（図１Ｂ中、導光板５５０）の側面（図１Ｂ中、側面ＳＳ）に沿って前記ＬＥＤパッケージ５０が複数に配列されると、前記複数のＬＥＤパッケージ５０の数を容易に増加させることができるので、前記導光板に入射させる光量を十分に確保することができる。
前記第１〜第４ワイヤ（Ｗ１〜Ｗ４）は前記第１及び第２ＬＥＤ（ＬＤ１、ＬＤ２）を前記第１〜第３リードフレーム（ＬＦ１、ＬＦ２、ＬＦ３）に電気的に連結させる。この実施形態では、前記第１ワイヤＷ１は、前記第１ＬＥＤ（ＬＤ１）の陽極を前記第１リードフレームＬＦ１に電気的に連結させ、前記第２ワイヤＷ２は、前記第１ＬＥＤ（ＬＤ１）の陰極を前記第２リードフレームＬＦ２に電気的に連結させる。また、前記第３ワイヤＷ３は、前記第２ＬＥＤ（ＬＤ２）の陽極を前記第２リードフレームＬＦ２に電気的に連結させ、前記第４ワイヤＷ４は、前記第２ＬＥＤ（ＬＤ２）の陰極を前記第３リードフレームＬＦ３に電気的に連結させる。
【００１７】
上述したように、前記第１〜第４ワイヤ（Ｗ１〜Ｗ４）によって前記第１及び第２ＬＥＤ（ＬＤ１、ＬＤ２）が前記第１〜第３リードフレーム（ＬＦ１、ＬＦ２、ＬＦ３）に電気的に連結されると、前記第１及び第２ＬＥＤ（ＬＤ１、ＬＤ２）は、電気的に直列連結される。したがって、前記ハウジングＭＤの外部へ引き出された前記第１リードフレームＬＦ１の一端部及び前記第３リードフレームＬＦ３の一端部が、前記印刷回路基板の前記電源端子と一対一で対応して電気的に連結されると、前記電源端子を通じて提供される電源によって、前記第１及び第２ＬＥＤ（ＬＤ１、ＬＤ２）が発光する。
前記第１及び第２絶縁層（Ｌ１、Ｌ２）の各々はシリコン樹脂及びエポキシ樹脂のような光透過特性を有する絶縁材料を包含することができる。また、前記第１絶縁層Ｌ１は前記ハウジングＭＤの内部に満たされて前記第１ＬＥＤ（ＬＤ１）をカバーし、前記第２絶縁層Ｌ２は前記ハウジングＭＤの内部に満たされて前記第２ＬＥＤ（ＬＤ２）をカバーする。
即ち、この実施形態では、前記第１絶縁層Ｌ１は前記第１及び第２ＬＥＤ（ＬＤ１、ＬＤ２）の中の前記第１ＬＥＤ（ＬＤ１）をカバーし、前記第２絶縁層Ｌ２は前記第１及び第２ＬＥＤ（ＬＤ１、ＬＤ２）の中の前記第２ＬＥＤ（ＬＤ２）をカバーする。したがって、前記ハウジングＭＤの内部で前記第１及び第２絶縁層（Ｌ１、Ｌ２）は、前記出光部ＯＰから前記第３側壁ＳＷ３に向かう方向に配列される。
【００１８】
この実施形態では、前記蛍光体ＦＳは、前記第２絶縁層Ｌ２に提供される。この場合、前記蛍光体ＦＳは、前記第２絶縁層Ｌ２によってカバーされる前記第２ＬＥＤ（ＬＤ２）から発光される光を吸収して前記光とは異なる色相の光を発生させる。その結果、前記蛍光体ＦＳによって発生された前記光は、前記第１ＬＥＤ（ＬＤ１）から発光された光と混合されて出力光ＥＴが具現され、前記出力光ＥＴは、前記出光部ＯＰを通じて前記ＬＥＤパッケージ５０の外部へ出力される。
他の実施形態では、前記第２絶縁層Ｌ２に前記蛍光体ＦＳの代わりに量子ドット（quantum dot)が提供されてもよい。この場合、前記蛍光体ＦＳと同様に、前記量子ドットは前記第２ＬＥＤ（ＬＤ２）から発光された光を吸収して、前記光とは異なる色相の光を発生することができる。
この実施形態では、前記出力光ＥＴは白色光であり、この場合、前記第１ＬＥＤ（ＬＤ１）は緑色光を発光する緑色ＬＥＤであり、前記第２ＬＥＤ（ＬＤ２）は青色光を発光する青色ＬＥＤであり、前記青色光は前記蛍光体ＦＳによってマゼンタ色（magenta）光に変更され、前記緑色光と前記マゼンタ色光とを混合して、前記出力光ＥＴを白色光にすることができる。
この実施形態では、上述したように前記第１ＬＥＤ（ＬＤ１）、前記第２ＬＥＤ（ＬＤ２）、及び前記蛍光体ＦＳの種類が定義されたが、本発明はこれに限定されるものではない。例えば、他の実施形態では、前記第１ＬＥＤ（ＬＤ１）は赤色光を発光する赤色ＬＥＤであり、前記第２ＬＥＤ（ＬＤ２）は青色光を発光する青色ＬＥＤであり、前記蛍光体ＦＳによって前記青色光がシアン色（cyan）光に変更され、前記赤色光と前記シアン色光とを混合して、前記出力光ＥＴを白色光にすることができる。
【００１９】
上述したように、前記第１及び第２ＬＥＤ（ＬＤ１、ＬＤ２）から発光された光が混合されて前記出力光ＥＴが具現される場合、前記出光部ＯＰを通じて出力される前記出力光ＥＴの光量が増加される効果を第１効果として定義し、前記出力光ＥＴの色純度が向上される効果を第２効果として定義すると、前記ハウジングＭＤは前記第１効果及び前記第２効果を向上させるために、次のような構造を有することができる。
先に上述したように、前記側壁部ＳＰが前記第１〜第３側壁（ＳＷ１、ＳＷ２、ＳＷ３）を含む場合、この実施形態では、前記第１側壁ＳＷ１及び前記第２側壁ＳＷ２の各々の高さは、前記第３側壁ＳＷ３に近くなるほど低くなる。前記第１及び第２側壁（ＳＷ１、ＳＷ２）の中の前記第１側壁ＳＷ１の構造を例として説明すれば、前記出光部ＯＰと隣接する前記第１側壁ＳＷ１の高さを第１高さＨ１として定義し、前記第３側壁ＳＷ３に接する前記第１側壁ＳＷ１の高さを第２高さＨ２として定義すれば、前記第１高さＨ１は前記第２高さＨ２よりも大きい。また、前記第１側壁ＳＷ１の最大の高さは実質的に前記第１高さＨ１と同一でもよく、前記第１側壁ＳＷ１の最小の高さは実質的に前記第２高さＨ２と同一でもよく、前記第３側壁Ｈ３の高さは実質的に前記第２高さＨ２と同一でもよい。
【００２０】
上述した前記第１〜第３側壁（ＳＷ１〜ＳＷ３）の構造によれば、前記第１〜第３側壁（ＳＷ１、ＳＷ２、ＳＷ３）の各々の上端部と結合される前記カバー部ＣＰは、前記第３側壁ＳＷ３側に傾いた形状を有することができる。したがって、断面上で、前記カバー部ＣＰは、前記第１ＬＥＤ（ＬＤ１）の第１上部面ＵＳ１及び前記第２ＬＥＤ（ＬＤ２）の第２上部面ＵＳ２の各々に対して傾いた形状を有する。
したがって、前記第１上部面ＵＳ１の法線方向に進行する光を第１光ＬＴ１として定義すれば、前記第１光ＬＴ１は前記カバー部ＣＰの内側面で反射され、前記カバー部ＣＰで反射された前記第１光ＬＴ１は前記法線方向と第１角度ａ１を形成するように進行して前記出光部ＯＰを通じて前記ＬＥＤパッケージ５０の外部へ出力される。
【００２１】
本発明の実施形態とは異なり、前記カバー部ＣＰが傾いた形状を有せず、前記カバー部ＣＰが前記第１上部面ＵＳ１と平行である場合、前記第１光ＬＴ１は前記カバー部ＣＰの内側面と前記第１上部面ＵＳ１との間で反復的に反射され、その結果、前記第１光ＬＴ１は前記出光部ＯＰを通じて外部へ出力されるのが容易でないことがあり得る。しかしながら、この実施形態では、前記第１光ＬＴ１は、前記カバー部ＣＰの内側面と前記第１上部面ＵＳ１との間で反復的に反射されることなく、前記第１光ＬＴ１は、上述した経路に沿って前記出光部ＯＰを通じて外部へ容易に出力することができるので、前記第１効果を、向上させることができる。
同様に、前記第２ＬＥＤ（ＬＤ２）から発光されて前記第２上部面ＵＳ２の法線方向に進行する光を、第２光ＬＴ２として定義すれば、前記第２光ＬＴ２は、前記カバー部ＣＰで反射され、前記カバー部ＣＰで反射された前記第２光ＬＴ２は、前記法線方向と第２角度ａ２を形成するように進行して前記出光部ＯＰを通じて前記ＬＥＤパッケージ５０の外部へ出力される。したがって、前記カバー部ＣＰの傾いた形状によって、前記第２光ＬＴ２は、前記カバー部ＣＰと前記第２上部面ＵＳ２との間で反復的に反射されることなく、図２Ｂに図示された前記第２光ＬＴ２の経路に沿って前記出光部ＯＰを通じて出力することができるので、前記第１効果を、向上させることができる。
【００２２】
また、この実施形態では、平面上で前記第３側壁ＳＷ３の内側面の各々は、前記第１及び第２ＬＥＤ（ＬＤ１、ＬＤ２）が有する側面に対して傾いた形状を有する。これによって、図２Ｃに示したように、前記第１ＬＥＤ（ＬＤ１）の側面から前記側面の法線方向に進行する第３光ＬＴ３が、前記第１ＬＥＤ（ＬＤ１）と前記第３側壁ＳＷ３との間で反復的に反射されることが防止され、前記第２ＬＥＤ（ＬＤ２）の側面から前記側面の法線方向に進行する第４光ＬＴ４が、前記第２ＬＥＤ（ＬＤ２）と前記第３側壁ＳＷ３との間で反復的に反射されることが防止される。
したがって、上述した前記第３及び第４光（ＬＴ３、ＬＴ４）が前記第３側壁ＳＷ３の前記傾いた内側面で反射される経路を考慮すれば、前記第３及び第４光（ＬＴ３、ＬＴ４）は、前記出光部ＯＰを通じて出力することができるので、前記第１効果を、向上させることができる。
【００２３】
一方、本発明の実施形態とは異なり、複数のＬＥＤから発光された互いに異なる色相のカラー光の経路が制御されることなく、前記カラー光がハウジングの外部へ直接的に出力される場合、前記カラー光の各々の光量の密度は、所定の放射角度の範囲内に集中されてしまい前記カラー光の混合が正しく行われないことがあり得る。その結果、前記カラー光の混合で具現される出力光の色純度が低下してしまうことがある。しかしながら、本発明の実施形態では、前記第１及び第２ＬＥＤ（ＬＤ１、ＬＤ２）から発光されたカラー光のほとんどは、前記ハウジングＭＤの内部で反射されて、その経路がランダムになるので、前記カラー光の混合を容易に行うことができる。その上に、前記ハウジングＭＤの内部で前記第１及び第２ＬＥＤ（ＬＤ１、ＬＤ２）は前記出光部ＯＰから前記第３側壁ＳＷ３に向かって順次的に配列され、前記第１及び第２ＬＥＤ（ＬＤ１、ＬＤ２）から発光された後に前記出光部ＯＰを通る光の大部分の経路が重畳されるので、前記第２効果を向上することができる。
【００２４】
図３は本発明の他の実施形態による表示装置のバックライトアセンブリーを含むＬＥＤパッケージの断面図である。図３の説明において、先に説明された構成要素と同じ構成要素に対しては同じ図面符号を併記し、前記同じ構成要素に対する詳細な説明は省略される。
図３に図示された実施形態と図２Ｂに図示された実施形態とを比較すると、図３に図示された実施形態では、出光部ＯＰを通じて白色光を出力するためにＬＥＤパッケージ５１は第１絶縁層Ｌ１の内部に提供された第１蛍光体ＦＳ２及び第２絶縁層Ｌ２の内部に提供された第２蛍光体ＦＳ１を包含することができる。
この実施形態では、第１ＬＥＤ（ＬＤ１）及び第２ＬＥＤ（ＬＤ２）は互いに同一の色相の光を発光し、例えば前記第１及び第２ＬＥＤ（ＬＤ１、ＬＤ２）は青色光を発光する青色ＬＥＤでもよい。この場合に、前記第２ＬＥＤ（ＬＤ２）から発光された前記青色光は、前記第１蛍光体ＦＳ１によって赤色光に変更され、前記第１ＬＥＤ（ＬＤ１）から発光される前記青色光は、前記第２蛍光体ＦＳ２によってシアン色光に変更することができる。したがって、前記赤色光及び前記シアン色光を混合して前記出力光ＥＴの色相を白色にすることができる。
【００２５】
図４は本発明の他の実施形態による表示装置のバックライトアセンブリーを含むＬＥＤパッケージの平面図である。図４の説明において、先に説明された構成要素と同じ構成要素に対しては同じ図面符号を併記し、前記同じ構成要素に対する詳細な説明は省略される。
図４を参照すると、ＬＥＤパッケージ５２は、ハウジングＭＤ’を含み、前記ハウジングＭＤ’は、側壁部ＳＰ’、底部ＢＰ、及びカバー部（図示せず）を含む。図４に図示された実施形態と図２Ｃに図示された実施形態とを比較すると、次の通りである。
再び図２Ｃを参照すると、第３側壁ＳＷ３は、２つの内側面を有し、前記２つの内側面の各々は、第１及び第２ＬＥＤ（ＬＤ１、ＬＤ２）の側面に対して傾いた形状を有する。また、前記２つの内側面は、平面上で横方向に平行であるラインに対して対称である形状を有し、前記２つの内側面が有する大きさは、互いに同一でもよい。
これに対し、図４に図示された実施形態では、第３側壁ＳＷ３’は、第１内側面Ｓ１及び第２内側面Ｓ２を有し、前記第１及び第２内側面Ｓ１、Ｓ２の各々は、第１及び第２ＬＥＤ（ＬＤ１、ＬＤ２）の側面に対して傾いた形状を有する。また、前記第１及び第２内側面（Ｓ１、Ｓ２）は平面上で横方向に平行であるラインに対して非対称である形状を有し、前記第１及び第２内側面（Ｓ１、Ｓ２）が有する大きさは、互いに異なってもよい。
したがって、前記第２ＬＥＤ（ＬＤ２）の側面ＳＳ１から発光されて前記側面ＳＳ１と法線方向に進行する光は、平面上で前記第１及び第２内側面（Ｓ１、Ｓ２）が接する接線ＬＳに到達しない。したがって、前記側面ＳＳ１と前記接線ＬＳとの間で前記光が反復的に反射されることを防止することができ、その結果、上述した本発明の第１効果を、向上させることができる。
【００２６】
図５は本発明の他の実施形態による表示装置のバックライトアセンブリーを含むＬＥＤパッケージの平面図である。図５の説明において、先に説明された構成要素と同じ構成要素に対しては同じ図面符号を併記し、前記同じ構成要素に対する詳細な説明は省略される。
図５を参照すると、ＬＥＤパッケージ５３は、ハウジングＭＤを含み、前記ＬＥＤパッケージ５３は、前記ハウジングＭＤの内側面に配置される複数の光散乱部ＰＮを含む。より詳細には、前記ハウジングＭＤは、カバー部（図示せず）、側壁部ＳＰ、及び底部ＢＰを含み、前記複数の光散乱部ＰＮは、前記カバー部、前記側壁部ＳＰ、及び前記底部ＢＰの各々の内側面に配置される。また、前記複数の光散乱部ＰＮの各々は、前記ハウジングＭＤの内側面から前記ハウジングＭＤの内部に向かって突出した形状を有する。
前記複数の光散乱部ＰＮは、第１及び第２ＬＥＤ（ＬＤ１、ＬＤ２）から発光された光を散乱させる。したがって、前記複数の光散乱部ＰＮによって前記第１及び第２ＬＥＤ（ＬＤ１、ＬＤ３）から発光された光の経路を、よりランダムにすることができ、その結果、先に上述した本発明の第１効果及び第２効果を、さらに向上させることができる。
この実施形態では、前記複数の光散乱部ＰＮの各々は、断面が半球形の形状を有することができるが、本発明は、前記複数の光散乱部ＰＮの形状に限定されるものではない。例えば、他の実施形態では、前記複数の光散乱部ＰＮの各々は、断面が三角形及び多面体のような他の形状を有してもよい。
【００２７】
図６は本発明の他の実施形態による表示装置のバックライトアセンブリーを含むＬＥＤパッケージの断面図である。図６の説明において、先に実施形態で説明された構成要素と同じ構成要素に対しては同じ図面符号を併記し、前記同じ構成要素に対する詳細な説明は省略される。
図６を参照すると、ＬＥＤパッケージ５４は、第１絶縁層Ｌ１及び第２絶縁層Ｌ２’を含み、前記ＬＥＤパッケージ５４は、前記第１及び第２絶縁層（Ｌ１、Ｌ２’）の間の界面に配置される複数の光散乱部（ＰＮ−１）を包含することができる。この実施形態では、前記複数の光散乱部（ＰＮ−１）の各々は、前記第２絶縁層Ｌ２’の表面から前記第１絶縁層Ｌ１に向かって突出した形状を有することができる。
図５に図示された複数の光散乱部（図５中、光散乱部ＰＮ）のように、前記複数の光散乱部（ＰＮ−１）は、第１及び第２ＬＥＤ（ＬＤ１、ＬＤ２）から発光された光を散乱させる。したがって、前記複数の光散乱部（ＰＮ−１）によって前記第１及び第２ＬＥＤ（ＬＤ１、ＬＤ２）から発光された光の経路を、さらにランダムにすることができ、その結果、先に上述した本発明の第１効果及び第２効果を、より向上させることができる。
この実施形態では、前記複数の光散乱部（ＰＮ−１）の各々は、断面が半球形の形状を有することができるが、本発明は前記複数の光散乱部（ＰＮ−１）の形状に限定されるものではない。例えば、他の実施形態では、前記複数の光散乱部（ＰＮ−１）の各々は、断面が三角形及び多面体のような他の形状を有してもよい。その他の実施形態では、前記複数の光散乱部（ＰＮ−１）の各々は、前記第１絶縁層Ｌ１の表面から前記第２絶縁層Ｌ２’に向かって突出した形状を有してもよい。
【００２８】
図７は本発明の他の実施形態による表示装置のバックライトアセンブリーを含むＬＥＤパッケージの断面図である。図７の説明において、先に説明された構成要素と同じ構成要素に対しては同じ図面符号を併記し、前記同じ構成要素に対する詳細な説明は省略される。
図７を参照すると、ＬＥＤパッケージ５５はハウジング（ＭＤ−１）を含み、前記ハウジング（ＭＤ−１）は、曲がった形状のカバー部（ＣＰ−１）を包含することができる。したがって、前記カバー部（ＣＰ−１）の内部面は、曲率を有することができる。
前記カバー部（ＣＰ−１）が曲がった形状を有する場合、第１及び第２ＬＥＤ（ＬＤ１、ＬＤ２）の各々の上部面は、前記カバー部（ＣＰ−１）の前記内部面と平行ではない。したがって、前記第１及び第２ＬＥＤ（ＬＤ１、ＬＤ２）から発光されて前記上部面と法線方向に進行する光が、前記第１及び第２ＬＥＤ（ＬＤ１、ＬＤ２）の上部面と前記カバー部（ＣＰ−１）の前記内部面との間で反復的に反射することを防止することができる。
【００２９】
図８は本発明の他の実施形態による表示装置のバックライトアセンブリーを含むＬＥＤパッケージの断面図である。図８の説明において、先に説明された構成要素と同じ構成要素に対しては同じ図面符号を併記し、前記同じ構成要素に対する詳細な説明は省略される。
図８を参照すると、ＬＥＤパッケージ５６はハウジング（ＭＤ−２）を含み、前記ハウジング（ＭＤ−２）は曲がった形状のカバー部（ＣＰ−２）を包含することができる。
図７に図示された実施形態では、前記カバー部（図７中、カバー部ＣＰ−１）は、ＬＥＤパッケージ（図７中、ＬＥＤパッケージ５５）の外部に向かって膨らんでいるアーチ形状を有するが、図８に図示された実施形態では、前記カバー部（ＣＰ−２）は、前記ＬＥＤパッケージ５６の内部に向かって凹んだアーチ形状を有する。
したがって、図７で説明された実施形態と同様に、前記カバー部（ＣＰ−２）の曲がった形状によって、第１及び第２ＬＥＤ（ＬＤ１、ＬＤ２）の各々の上部面は、前記カバー部（ＣＰ−２）の内部面と平行ではない。したがって、前記第１及び第２ＬＥＤ（ＬＤ１、ＬＤ２）から発光されて前記上部面と法線方向に進行する光が、前記第１及び第２ＬＥＤ（ＬＤ１、ＬＤ２）の前記上部面と前記カバー部（ＣＰ−２）の前記内側面との間で反復的に反射されることを防止することができる。
【００３０】
図９は本発明の他の実施形態による表示装置のバックライトアセンブリーを含むＬＥＤパッケージの断面図である。図９の説明において、先に説明された構成要素と同じ構成要素に対しては同じ図面符号を併記し、前記同じ構成要素に対する詳細な説明は省略される。
図９を参照すると、この実施形態では、ＬＥＤパッケージ５７は、第３ＬＥＤ（ＬＤ３）、第４リードフレームＬＦ４、第５ワイヤＷ４、第６ワイヤＷ６、及び第３絶縁層Ｌ３をさらに含む。
前記第４リードフレームＬＦ４及び前記第５ワイヤＷ５は、前記第３ＬＥＤ（ＬＤ３）を前記第１及び第２ＬＥＤ（ＬＤ１、ＬＤ２）に電気的に直列連結させる。また、前記第３、第１、及び第２ＬＥＤ（ＬＤ３、ＬＤ１、ＬＤ２）は、出光部ＯＰから側壁部ＳＰの第３側壁（図２ＣのＳＷ３）に向かう方向に順次的に配列され、前記第１〜第３絶縁層（Ｌ１、Ｌ２、Ｌ３）は、前記第３、第１、及び第２ＬＥＤ（ＬＤ３、ＬＤ１、ＬＤ２）が配列された方向に沿って配列される。
この実施形態では、前記第１〜第３ＬＥＤ（ＬＤ１、ＬＤ２、ＬＤ３）から発光される光を混合して前記出光部ＯＰを通じて出力される出力光の色相を定義することができる。例えば、前記第１ＬＥＤ（ＬＤ１）は緑色光を発光する緑色ＬＥＤであり、前記第２ＬＥＤ（ＬＤ２）は青色光を発光する青色ＬＥＤであり、前記第３ＬＥＤ（ＬＤ３）は赤色光を発光する赤色ＬＥＤである。したがって、前記第１〜第３ＬＥＤ（ＬＤ１、ＬＤ２、ＬＤ３）から発光された光が混合されて前記出光部ＯＰを通じて白色光を出力することができる。
【００３１】
図１０は本発明の他の実施形態による表示装置のバックライトアセンブリーを含むＬＥＤパッケージの平面図である。図１０の説明において、先に説明された構成要素と同じ構成要素に対しては同じ図面符号を併記し、前記同じ構成要素に対する詳細な説明は省略される。
図１０を参照すると、この実施形態によるＬＥＤパッケージ５８のハウジングＭＤ’は、側壁部ＳＰ’を含み、前記側壁部ＳＰ’は、第１側壁ＳＷ１、第２側壁ＳＷ２、及び第３側壁ＳＷ３’を含み、第１及び第２ＬＥＤ（ＬＤ１、ＬＤ２）は、前記ハウジングＭＤ’内で、第１方向Ｄ１とは異なる方向に配列される。
図２Ｃに図示された第３側壁（図２Ｃ中、第３側壁ＳＷ３）は、平面上で互いに交差する方向と平行である複数の内側面を有するが、図１０に図示された実施形態では、平面上で前記第３側壁ＳＷ３’は、前記第１方向Ｄ１と実質的に垂直である第２方向Ｄ２に平行である。即ち、前記第３側壁ＳＷ３’は、平らなプレート形状を有することができる。
また、前記第１及び第２ＬＥＤ（ＬＤ１、ＬＤ２）の各々の側面は、平面上で前記第３側壁ＳＷ３’の前記内側面に対して傾いていることがあり得る。即ち、前記第１ＬＥＤ（ＬＤ１）を例として説明すれば、前記第１ＬＥＤ（ＬＤ１）が有する４つの側面の中の２つの側面は、平面上で前記第２方向Ｄ２と交差する第３方向Ｄ３と平行でもよく、前記４つの側面の中の他の２つの側面は、前記第２方向Ｄ２と交差する第４方向Ｄ４と並んでもよい。
この実施形態でも先に説明された実施形態のように、前記第３側壁ＳＷ３’に対する前記第１及び第２ＬＥＤ（ＬＤ１、ＬＤ２）の配置によれば、出光部ＯＰを通じて出力される出力光ＥＴの光量が増加される第１効果及び前記出力光ＥＴの色純度が向上される第２効果を得ることができる。
【００３２】
図１１は本発明の他の実施形態による表示装置のバックライトアセンブリーを含むＬＥＤパッケージの平面図である。図１１の説明において、先に説明された構成要素と同じ構成要素に対しては同じ図面符号を併記し、前記同じ構成要素に対する詳細な説明は省略される。
図１１を参照すると、この実施形態によるＬＥＤパッケージ５９は、ハウジングＭＤ及び前記ハウジングＭＤの内部に、第１方向Ｄ１とは異なる方向に配列された第１及び第２ＬＥＤ（ＬＤ１、ＬＤ２）を含む。
この実施形態では、前記第１及び第２ＬＥＤ（ＬＤ１、ＬＤ２）各々の側面は平面上で前記第３側壁ＳＷ３の内側面に対して傾いている。その上に、前記第１及び第２ＬＥＤ（ＬＤ１、ＬＤ２）の各々の側面は平面上で前記第１及び第２側壁（ＳＷ１、ＳＷ２）の各々の内側面に対して傾いている。
より詳細には、平面上で前記第１及び第２側壁（ＳＷ１、ＳＷ２）の各々の内側面が第１方向Ｄ１と平行であり、平面上で前記第３側壁ＳＷ３の内側面の中の１つが第５方向Ｄ５と平行であり、前記内側面の中の他の１つが第６方向Ｄ６と平行である場合、前記第１及び第２ＬＥＤ（ＬＤ１、ＬＤ２）が有する内側面の各々は、平面上で前記第１、第５及び第６方向（Ｄ１、Ｄ５、Ｄ６）とは異なる方向と平行である。前記第１ＬＥＤ（ＬＤ１）を例として説明すれば、平面上で前記第１ＬＥＤ（ＬＤ１）の４つの側面の中の互いに対向する２つの側面は、第７方向Ｄ７と平行であり、前記４つの側面の中の他の２つの側面は、第８方向Ｄ８と平行であり、平面上で前記第１、第５、第６、第７、及び第８方向（Ｄ１、Ｄ５、Ｄ６、Ｄ７、Ｄ８）は、互いに交差する。
この実施形態では、前記第１〜第３側壁（ＳＷ１、ＳＷ２、ＳＷ３）に対する前記第１及び第２ＬＥＤ（ＬＤ１、ＬＤ２）の配置によれば、出光部ＯＰを通じて出力される出力光ＥＴの光量が増加される第１効果、及び前記出力光ＥＴの色純度が向上される第２効果を得ることができる。
【００３３】
以上では本発明の望ましい実施形態を参照して説明したが、当該技術分野における熟練の当業者又は当該技術分野において通常の知識を有する者であれば、後述される特許請求の範囲に記載された本発明のマッピング及び技術領域から逸脱しない範囲内で本発明を多様に修正及び変形できることは理解できる。したがって、本発明の技術的範囲は明細書の詳細な説明に記載された内容に限定されるものではなく、特許請求の範囲によって定まれなければならない。
【符号の説明】
【００３４】
５０  発光ダイオードパッケージ
Ｌ１  第１絶縁層
Ｌ２  第２絶縁層
ＬＦ１  第１リードフレーム
ＬＤ１  第１発光ダイオード
ＬＤ２  第２発光ダイオード
ＢＰ  底部
ＰＮ  光散乱部
ＣＰ  カバー部
ＳＰ  側壁部
ＦＳ  蛍光体
ＭＤ  ハウジング
【図１Ａ】
2015109418.tif 000003
【図１Ｂ】
2015109418.tif 000004
【図２Ａ】
2015109418.tif 000005
【図２Ｂ】
2015109418.tif 000006
【図２Ｃ】
2015109418.tif 000007
【図３】
2015109418.tif 000008
【図４】
2015109418.tif 000009
【図５】
2015109418.tif 000010
【図６】
2015109418.tif 000011
【図７】
2015109418.tif 000012
【図８】
2015109418.tif 000013
【図９】
2015109418.tif 000014
【図１０】
2015109418.tif 000015
【図１１】
2015109418.tif 000016